(57)【要約】      （修正有）【課題】取扱性を向上させながらも、開口部の吊元側に対して容易に着脱し得る戸体及びこれを備えた開き戸装置を提供する。【解決手段】開口部の吊元側に上下方向に沿う軸回りに回転自在に支持される戸体１０であって、上下方向に分割され、互いに接離自在に接合される複数枚のパネル体１１，１５と、これらパネル体のうちの少なくとも２枚のパネル体の吊元側端部に設けられ、上方側に向けて開口するように前記開口部の吊元側に設けられる蝶番部材２５の差込穴２８に抜差自在に差し込まれる軸部２４を下方側に向けて突出させた蝶番部材２１と、を備えている。【選択図】図１
2018066111.tif 000002
【特許請求の範囲】
【請求項１】
開口部の吊元側に上下方向に沿う軸回りに回転自在に支持される戸体であって、
上下方向に分割され、互いに接離自在に接合される複数枚のパネル体と、
これらパネル体のうちの少なくとも２枚のパネル体の吊元側端部に設けられ、上方側に向けて開口するように前記開口部の吊元側に設けられる蝶番部材の差込穴に抜差自在に差し込まれる軸部を下方側に向けて突出させた蝶番部材と、
を備えていることを特徴とする戸体。
【請求項２】
請求項１において、
前記複数枚のパネル体の互いに上下に隣り合う接合側端面のうちの一方には、上下方向に沿って突出する突起が設けられ、他方には、該突起を受け入れる上下方向に向けて開口する凹所が設けられていることを特徴とする戸体。
【請求項３】
請求項１または２において、
互いに上下に隣り合うパネル体の接合側端部に跨るように、前記複数枚のパネル体の戸幅方向一方側端面に設けられた取付部に対して着脱自在に取り付けられ、これら上下に隣り合うパネル体を連結する連結部材を更に備えていることを特徴とする戸体。
【請求項４】
請求項１乃至３のいずれか１項に記載の戸体と、
前記少なくとも２枚のパネル体に設けられた蝶番部材の軸部が抜差自在に差し込まれる差込穴が設けられ、開口部の吊元側に取り付けられる蝶番部材と、
を備えていることを特徴とする開き戸装置。
【発明の詳細な説明】
【技術分野】
【０００１】
本発明は、戸体及びこれを備えた開き戸装置に関する。
【背景技術】
【０００２】
従来より、開口部の吊元側に上下方向に沿う軸回りに回転自在に支持される戸体を備えた開き戸（開閉扉）が知られている。このような戸体は、比較的に上下方向に沿う寸法（戸高寸法）が大きくなるため、取り扱い難いという問題があった。
例えば、下記特許文献１には、扉を上下複数枚の扉パネルに分割した構成とされ、各扉パネルを縦枠の内側面に蝶番を介して回動自在に連結した構成とされた開閉扉が開示されている。
【先行技術文献】
【特許文献】
【０００３】
【特許文献１】実開平２−３４６８９号公報
【発明の概要】
【発明が解決しようとする課題】
【０００４】
しかしながら、上記構成とされた開閉扉では、縦枠に対する各扉パネルの取付性や取外性の観点からは更なる改善が望まれる。
【０００５】
本発明は、上記実情に鑑みてなされたものであり、取扱性を向上させながらも、開口部の吊元側に対して容易に着脱し得る戸体及びこれを備えた開き戸装置を提供することを目的としている。
【課題を解決するための手段】
【０００６】
上記目的を達成するために、本発明に係る戸体は、開口部の吊元側に上下方向に沿う軸回りに回転自在に支持される戸体であって、上下方向に分割され、互いに接離自在に接合される複数枚のパネル体と、これらパネル体のうちの少なくとも２枚のパネル体の吊元側端部に設けられ、上方側に向けて開口するように前記開口部の吊元側に設けられる蝶番部材の差込穴に抜差自在に差し込まれる軸部を下方側に向けて突出させた蝶番部材と、を備えていることを特徴とする。
【０００７】
また、上記目的を達成するために、本発明に係る開き戸装置は、本発明に係る戸体と、前記少なくとも２枚のパネル体に設けられた蝶番部材の軸部が抜差自在に差し込まれる差込穴が設けられ、開口部の吊元側に取り付けられる蝶番部材と、を備えていることを特徴とする。
【発明の効果】
【０００８】
本発明に係る戸体及びこれを備えた開き戸装置は、上述のような構成としたことで、取扱性を向上させながらも、開口部の吊元側に対して容易に着脱することができる。
【図面の簡単な説明】
【０００９】
【図１】本発明の一実施形態に係る戸体の一例及びこれを備えた開き戸装置の一例を模式的に示す一部破断概略分解斜視図である。
【図２】同戸体及びこれを備えた開き戸装置を模式的に示す概略正面図である。
【図３】同戸体及びこれを備えた開き戸装置の一部破断概略分解正面図である。
【図４】同戸体及びこれを備えた開き戸装置の一部破断概略分解正面図である。
【図５】本発明の他の実施形態に係る戸体の一例及びこれを備えた開き戸装置の一例を模式的に示す概略正面図である。
【発明を実施するための形態】
【００１０】
以下に本発明の実施の形態について、図面に基づいて説明する。
図１〜図４は、第１実施形態に戸体の一例及びこれを備えた開き戸装置の一例を模式的に示す図である。
なお、一部の図では、他図に付している詳細な符号の一部を省略している。
また、以下の各実施形態では、各実施形態に係る戸体を備えた各実施形態に係る開き戸装置を施工した状態を基準として上下方向等の方向を説明する。
【００１１】
本実施形態に係る戸体１０は、開口部７（図３参照）の吊元側に上下方向に沿う軸回りに回転自在に支持される構成とされている。また、本実施形態に係る開き戸装置１は、図１〜図４に示すように、この戸体１０と、開口部７の吊元側に取り付けられる蝶番部材（枠側蝶番部材）２５と、を備えている。
開口部７は、住居等の建物の壁体２を貫通するように設けられており、戸体１０によって開閉される出入口を構成する。本実施形態では、この開口部７を区画する戸枠３を設けた構成としている。この戸枠３は、開口部７の上側を区画する上枠４と、開口部７の吊元側を区画する吊元側縦枠５と、開口部７の戸先側を区画する戸先側縦枠６と、を備えている。なお、図例では、開口部７の下側を床によって区画した例を示しているが、開口部７の下側を区画する下枠（沓摺）を設けた構成としてもよい。
【００１２】
また、これら上枠４、吊元側縦枠５及び戸先側縦枠６の各見込面（開口部７の中心側に向く面）には、戸体１０の厚さ方向一方面に当接される戸当たり部４ａ，５ａ，６ａがそれぞれの長手方向に沿って延びるように設けられている。
吊元側縦枠５には、戸体１０に設けられた蝶番部材（戸側蝶番部材）２１とによって蝶番２０を構成する枠側蝶番部材２５が設けられている。枠側蝶番部材２５は、図１及び図３に示すように、開口部７の吊元側を構成する吊元側縦枠５に取り付けられる平板状の取付板状部２６と、この取付板状部２６の見込方向一端部に一体的に設けられた筒状部２７と、を備えている。取付板状部２６は、開口幅方向に厚さ方向を沿わせて配される薄板状とされている。筒状部２７は、取付板状部２６の上下方向の略下半部側部位に設けられ、上下方向に延びる円筒状とされている。また、筒状部２７には、上方側に向けて開口する差込穴２８が設けられている。この差込穴２８は、筒状部２７の上下方向の全体に亘って貫通するように設けられたものでもよく、下方側が封止されたものでもよい。
【００１３】
また、枠側蝶番部材２５は、戸体１０側に設けられる戸側蝶番部材２１の位置及び個数に応じた位置及び個数となるように吊元側縦枠５に上下方向に間隔を空けて設けられる。図例では、吊元側縦枠５の上端部近傍部位及び下端部近傍部位のそれぞれに互いに同様の構成とされた枠側蝶番部材２５，２５を設けた例を示している。また、これら枠側蝶番部材２５，２５は、取付板状部２６，２６を厚さ方向に貫通するように設けられた止具挿通孔を介して吊元側縦枠５に止着された（捩じ込まれた）ねじ等の止具によって吊元側縦枠５に取り付けられるものでもよい。また、吊元側縦枠５の見込面に、枠側蝶番部材２５，２５の取付板状部２６，２６を受け入れる受入凹所を設けた構成としてもよい。
【００１４】
戸先側縦枠６には、戸体１０に設けられたラッチ錠装置のラッチ頭部を受け入れるラッチ受（ストライク）が設けられている。
なお、開き戸装置１が戸枠３を備えた構成としてもよい。また、上枠４の上側に垂れ壁を設けたような態様に代えて、天井まで至るような開口部７としてもよい。この場合は、上枠４を天井に埋込状に設けたり、上枠４を設けていない構成等としてもよい。また、吊元側縦枠５や戸先側縦枠６を設けていない構成としてもよい。この場合は、開口部７の間口方向両側内側面が無枠状の内装仕上面とされたものでもよい。
【００１５】
戸体１０は、上下方向に分割され、互いに接離自在に接合される複数枚のパネル体１１，１５と、これらパネル体１１，１５のうちの少なくとも２枚のパネル体１１，１５の吊元側端部に設けられた戸側蝶番部材２１，２１と、を備えている。本実施形態では、戸体１０は、２枚のパネル体としての下側パネル体１１と上側パネル体１５とを備えた構成とされ、これらパネル体１１，１５の吊元側端部のそれぞれに戸側蝶番部材２１，２１を設けた構成としている。
各パネル体１１，１５は、図１に示すように、方形平板状とされている。これらパネル体１１，１５は、厚さ寸法及び開口幅方向に沿う寸法（戸幅寸法）が互いに略同寸法とされている。また、これらパネル体１１，１５は、互いに接合された状態で、戸厚方向両面同士及び戸幅方向両側端面同士が略同一平面状となるように形成されている。また、図例では、これらパネル体１１，１５の上下方向に沿う寸法を互いに略同寸法とした例を示しているが、互いに異なる寸法としてもよい。なお、これらパネル体１１，１５の上下方向に沿う寸法は、取扱性等の観点から１５００ｍｍ以下としてもよく、好ましくは、１２００ｍｍ以下としてもよく、より好ましくは、１０００ｍｍ以下としてもよい。また、これらパネル体１１，１５の質量は、取扱性等の観点から１０ｋｇ以下としてもよく、好ましくは、６ｋｇ以下としてもよく、より好ましくは、４ｋｇ以下としてもよい。
【００１６】
また、これらパネル体１１，１５は、四周表面（厚さ方向両面及び戸幅方向両側端面）が化粧面とされたものでもよい。また、これらパネル体１１，１５は、中実板状とされたものでもよいが、芯材の四周（パネル厚さ方向両側及びパネル幅方向両側）に表面材が貼着されたいわゆるフラッシュパネルとしてもよい。この場合は、芯材を、枠状芯材の内側にハニカムコアなどのいわゆるペーパーコアを収容させた構成とされたものとしてもよい。また、表面材の基材としては、ＭＤＦ（中密度繊維板）等の木質系ボードに限られず、ガラス繊維等の強化繊維シートを含んだ繊維強化樹脂層でもよい。なお、図例では、各パネル体１１，１５の厚さ方向両面を平坦面状とした例を示しているが、このような態様に限られない。例えば、これらパネル体１１，１５の少なくとも一つを、中央部に凹部を形成するように鏡板状部が設けられた框パネル状とされたものとしたり、これらパネル体１１，１５の少なくとも一つに、ガラリ等の通気部や透光部等を設けたりしてもよい。
【００１７】
また、これらパネル体１１，１５のうちの１つには、ハンドル１４の操作によって出没されるラッチ頭部を有したラッチ錠装置が埋込状に設けられている。図例では、下側パネル体１１にラッチ錠装置を埋込状に設けた例を示している。なお、図１における符号１１ａは、ラッチ錠装置に連結されるハンドル１４の軸部が挿通される加工穴である。また、ハンドル１４は、一方側の図示を省略しているが、下側パネル体１１の戸先側端部の厚さ方向両側に設けられている。なお、ハンドル１４としては、図例のようなレバー状のものに限られず、握玉状のものやいわゆるプッシュプルハンドル等でもよい。また、ラッチ錠装置としては、公知のものの採用が可能であり、ラッチ頭部の没入を阻止するロック機構を有したものやデッドボルトを出没させるサムターンを備えたものでもよい。
【００１８】
また、本実施形態では、これら複数枚のパネル体１１，１５の互いに上下に隣り合う接合側端面のうちの一方に、上下方向に沿って突出する突起１２を設け、他方に、突起１２を受け入れる上下方向に向けて開口する凹所１６を設けた構成としている。本実施形態では、下側パネル体１１の接合側端面となる上端面を上下に隣り合う接合側端面のうちの一方とし、この上端面に、上方側に向けて突出する突起１２を設けた構成としている。また、上側パネル体１５の接合側端面となる下端面を上下に隣り合う接合側端面のうちの他方とし、この下端面に、下方側に向けて開口する凹所１６を設けた構成としている。これら突起１２及び凹所１６は、突起１２を凹所１６に嵌め入れてパネル体１１，１５同士を接合した状態で、戸厚方向両面同士及び戸幅方向両側端面同士が略同一平面状となるように設けられている。
【００１９】
また、本実施形態では、下側パネル体１１の上端面に、戸幅方向に間隔を空けて複数（図例では、２つ）の突起１２，１２を設けた構成としている。図例では、これら突起１２，１２を、略円柱状とした例を示しているが、略多角筒状とされたものでもよい。また、これら突起１２，１２は、下側パネル体１１の上端面に設けられた凹所に嵌め込まれて保持されたものでもよい。
上側パネル体１５の下端面には、これら突起１２，１２に対応させて戸幅方向に間隔を空けて複数（図例では、２つ）の凹所１６，１６が設けられている。これら凹所１６，１６は、下側パネル体１１の突起１２，１２の嵌め入れが可能なように設けられている。なお、突起１２，１２の外周または凹所１６，１６の内周に弾性変形を伴い係止する係止部等を設け、上下に隣り合うパネル体１１，１５同士の上下方向への分離を抑制可能な構成等としてもよい。また、上記のような態様に代えて、または加えて、下側パネル体１１の上端面に凹所１６を設け、この凹所１６に嵌め入れられる突起１２を上側パネル体１５の下端面に設けた態様としてもよい。
【００２０】
また、本実施形態では、戸体１０は、互いに上下に隣り合うパネル体１１，１５の接合側端部に跨るように、複数枚のパネル体１１，１５の戸幅方向一方側端面に設けられた取付部１３，１７に対して着脱自在に取り付けられる連結部材１８を備えている。
連結部材１８は、図１に示すように、上下に隣り合うパネル体１１，１５の接合側端部に跨るように配される平板状の連結板状部１９の上下両側に、戸幅方向に沿って突出する突起部１９ａ，１９ａを設けた構成とされている。連結板状部１９は、戸幅方向に厚さ方向を沿わせて配される薄板状とされている。図例では、連結板状部１９を、戸幅方向に見て上下方向に長尺な矩形平板状とした例を示している。また、図例では、突起部１９ａ，１９ａを、略円柱状とした例を示しているが、略多角筒状とされたものでもよい。
【００２１】
また、本実施形態では、戸体１０の戸幅方向両側のそれぞれに連結部材１８，１８を設けた構成としている。つまり、上下両側のパネル体１１，１５の戸幅方向両側端面のそれぞれに、連結部材１８，１８が着脱自在に取り付けられる取付部１３，１７，１３，１７を設けた構成としている。これら戸幅方向両側の取付部１３，１７，１３，１７は、連結部材１８，１８の連結板状部１９，１９を受け入れるように凹んだ構成とされている。
下側パネル体１１の取付部１３，１３は、戸幅方向外側及び上方側に向けて開口するように、当該下側パネル体１１の戸幅方向両側端面の上端部に凹状に形成されている。また、これら取付部１３，１３の戸幅方向外側に向く凹底面には、戸幅方向外側に向けて開口する凹部１３ａ，１３ａが設けられている。これら凹部１３ａ，１３ａは、連結部材１８，１８の下側の突起部１９ａ，１９ａの嵌め入れが可能なように設けられている。
【００２２】
上側パネル体１５の取付部１７，１７は、戸幅方向外側及び下方側に向けて開口するように、当該上側パネル体１５の戸幅方向両側端面の下端部に凹状に形成されている。これら取付部１７，１７の戸幅方向外側に向く凹底面には、上記同様、戸幅方向外側に向けて開口する凹部１７ａ，１７ａが設けられている。これら凹部１７ａ，１７ａは、連結部材１８，１８の上側の突起部１９ａ，１９ａの嵌め入れが可能なように設けられている。
これら上下のパネル体１１，１５の取付部１３，１７，１３，１７に跨るように連結部材１８，１８が取り付けられ、上下に隣り合うパネル体１１，１５が連結される。また、これら連結部材１８，１８は、上下のパネル体１１，１５を吊元側縦枠５に取り付けた状態で、上下のパネル体１１，１５に取付可能とされている。
【００２３】
また、連結部材１８，１８は、各連結板状部１９，１９の戸幅方向外側に向く表面が上下のパネル体１１，１５の戸幅方向両側端面と略同一平面状（面一状）となるように取り付けられるものでもよい。
なお、連結部材１８の突起部１９ａ，１９ａの外周またはパネル体１１，１５の取付部１３，１７の凹部１３ａ，１７ａの内周に、弾性変形を伴い係止する係止部等を設けた態様とし、水平面に沿う方向への位置ずれを抑制可能な構成等としてもよい。
また、上下のパネル体１１，１５の接合側端部に跨るように取り付けられる連結部材１８，１８及びパネル体１１，１５の取付部１３，１７，１３，１７は、上記のような態様に限られない。例えば、上下のパネル体１１，１５の一方に固定的または一体的に設けられた連結部材１８としてもよく、その他、種々の変形が可能である。
【００２４】
戸側蝶番部材２１は、上記した枠側蝶番部材２５の差込穴２８に抜差自在に差し込まれる軸部２４を下方側に向けて突出させた構成とされている。つまり、この戸側蝶番部材２１と枠側蝶番部材２５とを備えた蝶番２０は、いわゆる抜き差し蝶番とされている。なお、下側パネル体１１の吊元側端部に設けられた戸側蝶番部材２１と上側パネル体１５の吊元側端部に設けられた戸側蝶番部材２１とは、互いに同様の構成であるので、一方を例にとって説明する。
この戸側蝶番部材２１は、図１に示すように、各パネル体１１，１５の吊元側端部に取り付けられる平板状の取付板状部２２と、この取付板状部２２の戸厚方向一端部に一体的に設けられた柱状部２３と、を備えている。また、戸側蝶番部材２１は、柱状部２３の下端部から下方側に向けて突出させるように軸部２４を設けた構成とされている。
【００２５】
また、この戸側蝶番部材２１の取付板状部２２は、上記同様、戸幅方向に厚さ方向を沿わせて配される薄板状とされている。この戸側蝶番部材２１と上記した枠側蝶番部材２５とは、連結された状態で、互いの取付板状部２２，２６が厚さ方向に互いに重なり合い可能な構成とされている。また、これら取付板状部２２，２６は、一方が他方に対して軸部２４回りに回転自在とされている。
柱状部２３は、この取付板状部２２の上下方向の略上半部側部位に設けられ、上下方向に延びる円柱状とされている。この柱状部２３は、枠側蝶番部材２５の筒状部２７の外径と略同径状とされ、戸側蝶番部材２１と枠側蝶番部材２５とが連結された状態で、枠側蝶番部材２５の筒状部２７と略同心状となるように設けられている。
【００２６】
軸部２４は、柱状部２３よりも小径状とされ、柱状部２３に固定的（一体的）にかつ略同心状となるように設けられている。この軸部２４の径は、枠側蝶番部材２５の差込穴２８の穴径に応じた径とされている。なお、この軸部２４の基端部及び枠側蝶番部材２５の筒状部２７の上端部の両方または一方に、摺動性の良好な金属製や樹脂製の座金状部材を設けた構成としてもよい。
また、戸側蝶番部材２１は、取付板状部２２を厚さ方向に貫通するように設けられた止具挿通孔を介して各パネル体１１，１５に止着された（捩じ込まれた）ねじ等の止具によって各パネル体１１，１５に取り付けられるものでもよい。また、各パネル体１１，１５の吊元側端面に、戸側蝶番部材２１，２１の取付板状部２２，２２を受け入れる受入凹所を設けた構成としてもよい。
【００２７】
また、図例では、下側パネル体１１の上下方向下側部位に戸側蝶番部材２１を取り付け、上側パネル体１５の上下方向上側部位に戸側蝶番部材２１を取り付けた例を示しているが、このような態様に限られない。例えば、各パネル体１１，１５の上下方向略中央部位に戸側蝶番部材２１，２１を取り付けた態様等としてもよい。また、各パネル体１１，１５のそれぞれに単一の戸側蝶番部材２１，２１を取り付けた態様に限られず、複数の戸側蝶番部材２１，２１を取り付けた態様としてもよい。この場合は、これらに応じた位置及び個数となるように、開口部７の吊元側に枠側蝶番部材２５を設けた構成とすればよい。また、開口部７の吊元側に設けられる枠側蝶番部材２５と戸体１０側に設けられる戸側蝶番部材２１とを備えた蝶番２０としては、上記のような構成とされたものに限られず、種々の構成とされたものの採用が可能である。
【００２８】
上記構成とされた開き戸装置１は、以下のようにして施工（設置）するようにしてもよい。
まず、図３に示すように、適宜の枠下地に開口部７を区画する戸枠３を固定し、吊元側縦枠５の適所に枠側蝶番部材２５，２５を取り付ける。また、下側パネル体１１の戸側蝶番部材２１の軸部２４を吊元側縦枠５の下側の枠側蝶番部材２５の差込穴２８に差し込み、下側パネル体１１を吊元側縦枠５に対して軸部２４回りに回転自在に取り付ける。
そして、図４に示すように、上側パネル体１５の戸側蝶番部材２１の軸部２４を吊元側縦枠５の上側の枠側蝶番部材２５の差込穴２８に差し込み、上側パネル体１５を吊元側縦枠５に対して軸部２４回りに回転自在に取り付ける。この際、下側パネル体１１を開放（半開きまたは全開）させた状態で、上側パネル体１５の凹所１６，１６に下側パネル体１１の突起１２，１２を受け入れさせ、これら上下のパネル体１１，１５を接合するようにしてもよい。
また、これら上下のパネル体１１，１５を開放させた状態で、上下のパネル体１１，１５の戸幅方向両側端部に設けられた取付部１３，１７，１３，１７に連結部材１８，１８を取り付け、戸体１０を吊元側縦枠５に対して開閉自在に建て付けるようにしてもよい。
【００２９】
一方、上記のように取り付けられた戸体１０を取り外す際には、以下のようにしてもよい。
まず、戸体１０を開放させた状態で、戸幅方向両側端部に取り付けられた連結部材１８，１８を取り外す。そして、下側パネル体１１に対して上側パネル体１５を上方側に移動させる。これにより、上側パネル体１５の凹所１６，１６に対する下側パネル体１１の突起１２，１２の係合が解除され、上側パネル体１５の戸側蝶番部材２１の軸部２４が吊元側縦枠５の上側の枠側蝶番部材２５の差込穴２８から脱離され、上側パネル体１５が取り外される。そして、下側パネル体１１を上方側に移動させれば、下側パネル体１１の戸側蝶番部材２１の軸部２４が吊元側縦枠５の下側の枠側蝶番部材２５の差込穴２８から脱離され、下側パネル体１１が取り外される。
なお、上記した施工手順及び取外手順は、一例に過ぎず、その他、種々の変形が可能である。
【００３０】
本実施形態に係る戸体１０及びこれを備えた開き戸装置１は、上述のような構成としたことで、取扱性を向上させながらも、開口部７の吊元側に対して容易に着脱することができる。
つまり、上下方向に分割され、互いに接離自在に接合される複数枚のパネル体１１，１５を備えた構成としている。従って、各パネル体１１，１５の上下方向に沿う寸法を小さくすることができ、また、軽量化が図れ、運搬や施工する際や、保管や収納する際等における取扱性を向上させることができる。また、少なくとも２枚のパネル体１１，１５の吊元側端部に、開口部７の吊元側に設けられる蝶番部材（枠側蝶番部材）２５の差込穴２８に抜差自在に差し込まれる軸部２４を下方側に向けて突出させた蝶番部材（戸側蝶番部材）２１を設けた構成としている。従って、上述のように、開口部７に設けられた枠側蝶番部材２５，２５の差込穴２８，２８に対して各パネル体１１，１５の戸側蝶番部材２１，２１の軸部２４，２４を差し込むことで、各パネル体１１，１５を容易に開口部７の吊元側に支持させることができる。
【００３１】
また、上述のように、開口部７に設けられた枠側蝶番部材２５，２５の差込穴２８，２８から各パネル体１１，１５の戸側蝶番部材２１，２１の軸部２４，２４を抜き取るように移動させることで、各パネル体１１，１５を容易に取り外すことができる。これにより、一部のパネル体１１，１５を交換したり、一部のパネル体１１，１５を取り外した状態で使用したりすることもできる。また、例えば、複数枚のパネル体１１，１５のうちの一枚を、他のパネル体に対して個別に開閉させたりするようなことも可能となる。また、全てのパネル体１１，１５を取り外して開口部７を常時開放させた通路としたりすることも可能となる。また、このようにパネル体１１，１５を取り外した状態では、開口部７の吊元側の枠側蝶番部材２５，２５には、突出する軸部が存在しないので、通行する際に引っ掛かったりするようなことを抑制することができる。また、各パネル体１１，１５を取り付ける際には、開口部７の吊元側の枠側蝶番部材２５，２５の差込穴２８，２８を上方側から視認できる。これにより、各パネル体１１，１５に設けられた戸側蝶番部材２１，２１の軸部２４，２４の差込性を向上させることができ、施工性を向上させることができる。
【００３２】
また、本実施形態では、複数枚のパネル体１１，１５の互いに上下に隣り合う接合側端面のうちの一方に、上下方向に沿って突出する突起１２を設け、他方に、突起１２を受け入れる上下方向に向けて開口する凹所１６を設けた構成としている。従って、上下に隣り合うパネル体１１，１５同士の水平面に沿う方向への位置ずれ等を抑制することができる。
また、本実施形態では、互いに上下に隣り合うパネル体１１，１５の接合側端部に跨るように、複数枚のパネル体１１，１５の取付部１３，１７に対して着脱自在に取り付けられる連結部材１８を設けた構成としている。従って、上下に隣り合うパネル体１１，１５同士が上下方向に分離するようなことを抑制することができる。
また、本実施形態では、上下に分割されたパネル体１１，１５のそれぞれが個別に開口部７の吊元側に対して回転自在に支持される構成としている。従って、各パネル体１１，１５を開口部７の吊元側に対して安定的に回転自在に支持させることができる。
【００３３】
次に、本発明に係る他の実施形態について、図面を参照しながら説明する。
図５は、第２実施形態に係る戸体の一例及びこれを備えた開き戸装置の一例を模式的に示す図である。
なお、上記第１実施形態との相違点について主に説明し、同様の構成については、同一の符号を付し、その説明を省略または簡略に説明する。
【００３４】
本実施形態に係る戸体１０Ａは、図５に示すように、上下方向に分割されたパネル体１１Ａ，１１Ｂ，１５Ａの枚数が上記第１実施形態とは主に異なる。本実施形態では、戸体１０Ａは、上下方向に分割された３枚のパネル体として、下側パネル体１１Ａと中央パネル体１１Ｂと上側パネル体１５Ａとを備えている。
これらパネル体１１Ａ，１１Ｂ，１５Ａは、上記第１実施形態と同様、厚さ寸法、戸幅寸法及び上下方向に沿う寸法が互いに略同寸法とされている。なお、これらパネル体１１Ａ，１１Ｂ，１５Ａの上下方向に沿う寸法を互いに異なる寸法としてもよい。
【００３５】
また、本実施形態では、下側パネル体１１Ａにラッチ錠装置を組み込まずに、中央パネル体１１Ｂにハンドル１４に連結されるラッチ錠装置を組み込んだ構成としている。また、この中央パネル体１１Ｂには、戸側蝶番部材２１を設けていない構成としている。本実施形態のように、３枚以上のパネル体１１Ａ，１１Ｂ，１５Ａを備えた戸体１０Ａにおいては、少なくとも最上端側及び最下端側に配されるパネル体１１Ａ，１５Ａに戸側蝶番部材２１を設けた構成としてもよい。なお、中央パネル体１１Ｂにも戸側蝶番部材２１を設けた構成としてもよい。
【００３６】
また、中央パネル体１１Ｂの下端面に、下側パネル体１１Ａの突起１２，１２を受け入れる上記同様な凹所１６Ａ，１６Ａを下方側に向けて開口させるように設けた構成としている。また、中央パネル体１１Ｂの上端面に、上側パネル体１５Ａの凹所１６，１６に嵌め入れられる上記同様な突起１２Ａ，１２Ａを上方側に向けて突出させるように設けた構成としている。また、中央パネル体１１Ｂの戸幅方向両側端面の下端部に、上記同様な取付部１７Ａ，１７Ａを設けた構成としている。また、中央パネル体１１Ｂの戸幅方向両側端面の上端部に、上記同様な取付部１３Ａ，１３Ａを設けた構成としている。
【００３７】
上記構成とされた本実施形態に係る開き戸装置１Ａは、上記と概ね同様にして下側パネル体１１Ａ、中央パネル体１１Ｂ及び上側パネル体１５Ａの順に施工可能である。また、戸体１０Ａを取り外す際には、上記と概ね同様にして上側パネル体１５Ａ、中央パネル体１１Ｂ及び下側パネル体１１Ａの順に取り外し可能である。
また、上記構成とされた本実施形態に係る戸体１０Ａ及びこれを備えた開き戸装置１Ａにおいても、上記第１実施形態と概ね同様の効果を奏する。また、本実施形態では、上記第１実施形態よりも戸体１０Ａの分割数を多くしているので、各パネル体１１Ａ，１１Ｂ，１５Ａの取扱性をより向上させることができる。
【００３８】
なお、上記各実施形態では、戸体１０，１０Ａの戸幅方向両側端部に取り付けられる連結部材１８，１８を設けた構成としているが、戸体１０，１０Ａの戸幅方向一方側端部（例えば、吊元側端部）に取り付けられる連結部材１８のみを設けた構成としてもよい。また、このような上下に隣り合うパネル体１１，１５，１１Ａ，１１Ｂ，１５Ａ同士を連結する連結部材１８を設けていない構成としてもよい。
また、上記各実施形態では、パネル体１１，１５，１１Ａ，１１Ｂ，１５Ａの接合側端面の一方に突起１２，１２Ａを設け、他方に凹所１６，１６Ａを設けた例を示しているが、このような突起１２，１２Ａや凹所１６，１６Ａを設けていない構成としてもよい。この場合は、上下に隣り合うパネル体１１，１５，１１Ａ，１１Ｂ，１５Ａ同士を接離自在に接合状態に保持する適宜の保持部を設けた構成としてもよい。このような保持部としては、例えば、磁石や面ファスナー等でもよく、その他、種々の構成とされたものの採用が可能である。
【符号の説明】
【００３９】
１，１Ａ      開き戸装置
１０，１０Ａ  戸体
１１，１１Ａ  下側パネル体（パネル体）
１１Ｂ        中央パネル体（パネル体）
１２，１２Ａ  突起
１３，１３Ａ  取付部
１５，１５Ａ  上側パネル体（パネル体）
１６，１６Ａ  凹所
１７，１７Ａ  取付部
１８          連結部材
２１          戸側蝶番部材（蝶番部材）
２４          軸部
２５          枠側蝶番部材（蝶番部材）
２８          差込穴
７            開口部
【図１】
2018066111.tif 000003
【図２】
2018066111.tif 000004
【図３】
2018066111.tif 000005
【図４】
2018066111.tif 000006
【図５】
2018066111.tif 000007